(57)【特許請求の範囲】
【請求項１】
長辺と短辺とを有する矩形状のシート体を折り重ねて、気密性を有する包装袋により密封してなる包装型身体清拭タオルにおいて、
原反長手方向の引張強度が原反幅方向よりも大で且つ原反長手方向の伸び率が原反幅方向よりも小である網目状の不織布の原反シートを、前記原反幅方向が前記長辺となり前記原反長手方向が前記短辺となるように前記原反幅方向に裁断した前記シート体を備え、
前記長手方向の略中央で二つ折り状に折り畳んだときにも前記長辺側が長い矩形状の前記シート体を、前記長手方向の中間の前記短手方向に沿った折り曲げ部で略二枚重ね状に折り畳んで前記長辺側が長い矩形状に構成し、
該矩形状に構成された前記シート体を前記短手方向に沿った折り曲げ部で更に折り畳んだ
ことを特徴とする包装型身体清拭タオル。
【発明の詳細な説明】
【技術分野】
【０００１】
本発明は、タオル形状のシート体を気密性を有する包装袋に密封してなる包装型身体清拭タオルに関するものである。
【背景技術】
【０００２】
使い捨て式の包装型身体清拭タオル、例えばウェットシートには、手指、顔、首筋等の清拭用に使用されるハンカチサイズのおしぼりの他に、１，０００ｃｍ2 以上の面積を有し、乳幼児、病人、老人等の被介護者の身体の広い面積の部分の清拭用に使用される濡れタオルがある（特許文献１）。
【０００３】
これらのおしぼり、濡れタオルは、通常、パルプ、綿又は合成繊維製の不織布、織布等のシート体を用い、このシート体を適当な大きさに折り重ねロール状に巻いた状態で、不透湿性又はガスバリア性を有する包装袋により包装し密封されている。そして、使用に際して、包装袋を開封してロール状のシート体を取り出すようになっている。
【特許文献１】特開平９−２９４６８９号公報
【発明の開示】
【発明が解決しようとする課題】
【０００４】
ハンカチサイズ程度の小判サイズのおしぼりは、比較的面積が小さいため、ロール状に巻いた状態で包装袋により密封しても、さほど包装形態が大きくならず高能率で容易に製造することが可能である。
【０００５】
しかし、目付けが２５ｇ／ｍ2 以上で面積が１，０００ｃｍ2 以上の大判のタオル形状をしたシート体になると、このシート体を長手方向の略中央で複数回折り重ねてロール状に巻いても、重ね折りしたときの馴染みが悪いために折り曲げ部側が厚さ方向に大きく膨らんで、ロール状に巻いたときの巻き径が非常に大きくなったり、折り重ね回数が増えるに伴って折り曲げ部と反対側の端部同士がうまく重なり合わなくなったりする等の問題がある。
【０００６】
これは、従来のタオル織り技術にも要因があるが、使用者がシート体を自分の背中にたすき掛け状に当てて擦ったり拭いたりできるように、シート体の長手方向の引張強度を短手方向よりも大にし、長手方向の伸びを短手方向よりも小さくしていることに要因がある。
【０００７】
このため長手方向の引張強度が短手方向よりも大のシート体の場合には、それ自体のコシに抗してシート体を折り重ねることになるが、長手方向のコシが非常に強いため、シート体の折り曲げ部側が薄く偏平な状態にならず厚さ方向に膨らむことになる。その結果、ロール状に巻いたときの巻き径が非常に大きくなったり、折り重ね回数が増えるに従って端部同士がうまく重なり合わなくなったりする傾向がある。
【０００８】
一方、一人では入浴できない病人、老人等の被介護者を対象とする清拭タオルには、厚手のシート体を用い、しかも大きな面積を有するものが希望される傾向になる。
【０００９】
従って、例えば１，５００ｃｍ2 〜５，０００ｃｍ2 の面積を有する大判サイズの身体清拭タオルになれば、ロール状の巻き径が非常に大きなものとなり、当然、包装後の形も非常に大きなものとなる。その結果、製造時の折り重ね工程、巻き工程でシート体がバラケ易く、また包装も困難になる等の理由から生産性が著しく低下し、しかも包装袋の材料費、輸送費が嵩む等、あらゆる面でコスト高になる欠点がある。
【００１０】
本発明は、従来のこのような課題に鑑み、折り重ね時のシート体の馴染みが良く、折り曲げ部側を薄く偏平状にできると共に折り重ね時の端部同士の重なりを良好にでき、しかも容易且つ能率的に製造でき、製造コスト、物流コストを低減できる包装型身体清拭タオルを提供することを目的とする。
【課題を解決するための手段】
【００１１】
本発明は、長辺と短辺とを有する矩形状のシート体を折り重ねて、気密性を有する包装袋により密封してなる包装型身体清拭タオルにおいて、原反長手方向の引張強度が原反幅方向よりも大で且つ原反長手方向の伸び率が原反幅方向よりも小である網目状の不織布の原反シートを、前記原反幅方向が前記長辺となり前記原反長手方向が前記短辺となるように前記原反幅方向に裁断した前記シート体を備え、前記長手方向の略中央で二つ折り状に折り畳んだときにも前記長辺側が長い矩形状の前記シート体を、前記長手方向の中間の前記短手方向に沿った折り曲げ部で略二枚重ね状に折り畳んで前記長辺側が長い矩形状に構成し、該矩形状に構成された前記シート体を前記短手方向に沿った折り曲げ部で更に折り畳んだものである。
【発明の効果】
【００１６】
本発明によれば、折り重ね時のシート体の馴染みが良く、折り曲げ部側を薄く偏平状にできると共に折り重ね時の端部同士の重なりを良好にでき、しかも容易且つ能率的に製造でき、製造コスト、物流コストを低減できる利点がある。
【発明を実施するための最良の形態】
【００１７】
以下、本発明の各実施形態を図面に基づいて詳述する。図１〜図１０は本発明に係る使い捨て式の包装型身体清拭タオルとその製造方法との第１の実施形態を例示する。
【００１８】
この包装型身体清拭タオル１は、図１〜図３に示すようにロール体２に所要の液体を含浸させた清拭タオル３を、気密性、即ち不透湿性又はガスバリア性を有する包装袋４により密封包装したものであって、図４（ａ）（ｂ）に示すように、所定のタオル形状に裁断されたシート体５を、その長手方向Ａの略中央部で複数回、例えば３回程度折り重ねた後、巻き径Ｃと軸心方向の長さＤとが略同じとなるようにロール状に巻いてロール体２とし、これに液体を含浸させた清拭タオル３を包装袋４により包装している。
【００１９】
シート体５に含浸すべき含浸液については、適宜処方液を使用すればよい。包装袋４は包装材を縦方向のシール部６及び横方向のシール部７でシールして構成され、また横方向のシール部７に開封用の切り込み部８が設けられている。
【００２０】
なお、包装袋４は不透湿性又はガスバリア性を有し、開封時に容易に破断できるものであれば、単体フィルム又は複合フィルムの何れを使用してもよい。例えば、ポリプロピレン延伸フィルムと未延伸ポリプロピレンフィルムとをラミネート加工したもの、或いはアルミ箔の片面又は両面にポリエチレンフィルム、ポリプロピレンフィルム等の合成樹脂フィルムをラミネートしたもの等が適当である。
【００２１】
シート体５には、目付けが２５ｇ／ｍ2 〜１００ｇ／ｍ2 程度の不織布、特にコットン、レーヨン等のセルロース繊維製又はセルロース繊維を含む連続繊維不織布５ａが用られており、乾燥状態、液体の含浸状態の何れにおいても、長手方向Ａの引張強度が短手方向Ｂよりも小さく、長手方向Ａの伸び率が短手方向Ｂよりも大になっている。
【００２２】
シート体５に用いる連続繊維不織布５ａは、図４（ａ）（ｂ）、及び図４（ａ）の部分拡大図である図５に示すように、多数の繊維束によりシート体５の短手方向Ｂに略連続する略凸状の横筋目９が形成され、その各横筋目９同士が少数の繊維束からなる縦筋目１０を介してシート体５の長手方向Ａに所定の間隔をおいて接続されている。従って、シート体５は、図４、図５に示すように、多数の横筋目９と縦筋目１０とにより縦横の網目状の凹凸模様が全面に形成され、その横筋目９及び縦筋目１０の繊維数の違いにより、横筋目９間を縦筋目１０で接続する長手方向Ａの引張強度が横筋目９のある短手方向Ｂよりも小であり、また長手方向Ａの伸び率が短手方向Ｂよりも大となっている。
【００２３】
このシート体５に用いる連続繊維不織布５ａは、例えばスパンボンド法により繊維ウエブ１１（図６参照）を形成し、その後に水流絡合法により繊維ウエブ１１の繊維同士を絡ませて製造されている。スパンボンド法による繊維ウエブ形成工程では、溶融状態の原料樹脂を溶出ノズルから直接溶出した後、紡糸手段により適当な繊維数に紡糸して連続長繊維のフリース１１を形成する。
【００２４】
水流絡合法による繊維の絡合工程では、図６に示すように繊維ウエブ１１を縦横の網目模様を有する網目スクリーン１２によりその長手方向に送りながら、網目スクリーン１２上の高圧水噴射管１３から繊維ウエブ１１に対して高圧水を柱状噴射して繊維を絡ませ、その後、乾燥手段１４に通して乾燥させる。
【００２５】
このようにして製造された連続繊維不織布５ａは、網目スクリーン１２の網目形状に応じて、多数の繊維の繊維束である縦繊維と、これよりも少数の繊維の繊維束である横繊維が縦横の網目状に絡まり合って縦横の凹凸模様を形成したものとなり、全体として柔軟でドレープ性に富み、毛羽立ちの少ないものとなっている。なお、このセルロース繊維製の連続繊維不織布５ａには、例えば旭化成（株）製の「ベンリーゼ」を用いることができる。
【００２６】
シート体５は、図８にシート体５を重ね書きして示すように、この連続繊維不織布５ａの原反シート１５を用いて、その原反シート１５の原反幅方向がシート体５の長手方向Ａとなり、原反シート１５の原反長手方向がシート体５の短手方向Ｂとなるように裁断したものである。
【００２７】
シート体５の長手方向Ａ及び短手方向Ｂの比率は、一般的には短手方向Ｂの長さが長手方向Ａの長さの１／３〜１／８倍程度が適当である。シート体５の使い勝手を考えると、例えば大判タオル形状のシート体５の場合であれば、長手方向Ａの長さが６０ｃｍ〜１２０ｃｍ程度、短手方向Ｂの長さが２５ｃｍ〜６０ｃｍ程度が適当である。
【００２８】
この包装型身体清拭タオル１は、連続繊維不織布５ａの原反シート１５を原反長手方向に送りながら、図７、図８に示すような製造工程を経て製造する。この製造工程は、原反シート１５を原反幅方向の中央で順次二つ折り状に折り重ねて折り重ね原反シート１９とする第１〜第３折り重ね工程１６〜１８と、その折り重ね原反シート１９を原反幅よりも短い長さで原反幅方向に裁断して折り重ねシート体２１とする裁断工程２０と、その折り重ねシート体２１を短手方向Ｂにロール状に巻いてロール体２とする巻き工程２２と、そのロール体２に液体を含浸させる液体含浸工程２３と、液体含浸後のロール体２を包装袋４により密封状に包装して製品２４とする包装工程２５とから構成されている。
【００２９】
包装型身体清拭タオル１の製造に際しては、連続繊維不織布５ａの原反シート１５を原反ロール３５から繰り出して原反長手方向に送る。なお、長手方向Ａの寸法が１００ｃｍ、短手方向Ｂの寸法が３０ｃｍのタオル形状のシート体５の場合であれば、原反幅１００ｃｍの原反シート１５を使用する。
【００３０】
また原反シート１５を原反長手方向の所定間隔おきに幅方向に裁断して、原反シート１５の幅方向がシート体５の長手方向Ａとなるシート体５とする関係から、原反シート１５は原反長手方向の引張強度が原反幅手方向の引張強度よりも大きく、また原反長手方向の伸び率が原反幅方向の伸び率よりも小さいものを用いる。
【００３１】
第１折り重ね工程１６では、図８、図９に示すように原反ロール３５から繰り出された原反幅１００ｃｍの原反シート１５を折り重ね手段（図示省略）に通して、この第１折り重ね手段により、原反幅方向の両端の耳部が略一致するように、原反シート１５を原反幅方向の略中央で二つ折り状に折り重ねて二つ折り体１５ａとする（図９（ａ）（ｂ）参照）。同様に第２折り重ね工程１７、第３折り重ね工程１８の折り重ね手段（図示省略）に順次通して、夫々の折り重ね後の両端が略揃うように幅方向の略中央で二つ折り状に順次折り重ねて四つ折り体１５ｂ、八つ折り体１５ｃとする（図９（ｂ）〜（ｄ）参照）。これによって当初の原反幅１００ｃｍから幅１２ｃｍ前後の八つ折り状態の折り重ね原反シート１９ができる（図９（ｄ）参照）。なお、折り重ね手段は何れも公知のものを使用可能である。
【００３２】
このように原反長手方向の引張強度が原反幅手方向の引張強度よりも大きく、原反長手方向の伸び率が原反幅方向の伸び率よりも小さい原反シート１５を使用することにより、各折り重ね工程１６〜１８で原反シート１５をその幅方向の中央で複数回折り重ねる際に、折り曲げ部２６〜２８が薄い偏平状となるように原反シート１５を容易に折り重ねることができ、また幅方向の両端の不揃いを防止できる。
【００３３】
裁断工程２０では、図８に示すように折り重ね原反シート１９を一対の裁断ロール２９間に通して略３０ｃｍ間隔で順次裁断する。これによって１枚のシート体５をその長手方向Ａの略中央で３回繰り返して二つ折り状に折り重ねた、長さ３０ｃｍの折り重ねシート体２１ができる。また折り重ね原反シート１９を裁断して折り重ねシート体２１としているため、原反シート１５をそのままの状態で裁断する場合に比較して小型の裁断ロール２９を使用できる。しかも折り重ね原反シート１９を裁断するため、原反シート１５を裁断した後に折り重ねる場合に比較して、一連の工程を能率的に行うことができる。
【００３４】
巻き工程２２では、図８、図１０に示すように、相対向して配置された一対の巻きベルト３０，３１と、この一対の巻きベルト３０，３１間の入口３２側に折り重ねシート体２１の一端部側を挿入する挿入具３４とを使用し、裁断後の折り重ねシート体２１を短手方向Ｂにロール状に巻いロール体２とする。一対の巻きベルト３０，３１は入口３２側が狭く、出口３３側がロール体２の巻き径Ｃに応じて広くなるように配置され、互いに逆方向に連続的に回動するように駆動されている。
【００３５】
そして、裁断後の折り重ねシート体２１の先端部が巻きベルト３０，３１の入口３２側に跨がった状態になると、挿入具３４により折り重ねシート体２１の先端側の中間部を巻きベルト３０，３１間の入口３２へと二つ折り状に折り曲げながら挿入する（図９（ｅ）、図１０参照）。折り重ねシート体２１の先端側が二つ折り状になって巻きベルト３０，３１の入口３２側に挿入されると、両巻きベルト３０，３１の相対速度差により、入口３２側から出口３３側へと移動する間に二つ折り状の折り重ねシート体２１を、その二つ折り先端部を中心にロール状に巻いて行く。そして、巻き径Ｃが長さＤと略同じのロール体２となるように巻いた後、そのロール体２を出口３３側から送りコンベア３６上へと排出する。
【００３６】
両巻きベルト３０，３１の内、二つ折り状の折り重ねシート体２１の短い側に対応する巻きベルト３１が上側へと回動し、長い側に対応する巻きベルト３０が下側へと回動するため、折り重ねシート体２１はその短い側が内側となるように巻かれて行く。なお、両巻きベルト３０，３１の回動方向は逆でもよい。また入口３２側から出口３３側へと順方向に回動する巻きベルト３０と、これに対向して配置された固定の案内部材との間で折り重ねシート体２１をロール状に巻いてもよい。
【００３７】
液体含浸工程２３では、図８に示すように、送りコンベア３６の上方のノズル３７からロール体２に対して所定の液体を噴出させて、ロール体２にその液体を含浸させる。包装工程２５では、不透湿性又はガスバリア性を有する包装材を連続的に送りながら、その包装材でロール体２を包み込んで縦方向及び横方向にシールをし、その横方向のシール部７で包装材を順次切断して、ロール体２を包装袋４により密封状に包装した製品２４の包装型身体清拭タオル１とする。
【００３８】
使用に際しては、包装型身体清拭タオル１の包装袋４を切り込み部８から破断し開封して清拭タオル３のロール体２を取り出す。そして、このロール体２を巻き戻して適宜大きさに広げた後、その清拭タオル３により被介護者の身体を清拭する。
【００３９】
このような構成の清拭タオル３では、次のような利点がある。即ち、長手方向Ａの引張強度が短手方向Ｂよりも小であり、長手方向Ａの伸び率が短手方向Ｂよりも大であるシート体５を使用しており、このシート体５を長手方向Ａに折り重ねてロール状に巻く際に、引張強度が小さく伸び率が大きい方向にシート体５を折り重ねて行く。
【００４０】
このため目付けが２５ｇ／ｍ2 以上と厚く、しかも面積が３０００ｃｍ2 という大判タオル形状のシート体５であるにも拘わらず、シート体５を重ね折りしたときの馴染みが良く、しかも両端部同士を容易に揃えることができる。また折り重ね状態での幅方向の両端の嵩張りがなく全体を薄く折り重ねることができるため、ロール状に巻く際のシート体５のバラケ等を容易に防止でき、その後の包装も容易にでき、従来に比較して生産性が著しく向上する。また巻き径Ｃも小さくできることから、包装袋４の材料費、その後の輸送費その他の物流コストを低減でき、大幅な低コスト化を図ることができる。
【００４１】
また折り重ねシート体２１を短手方向Ｂ、即ち引張強度が大であり伸び率が小である短手方向Ｂに巻いているため、シート体５を長手方向Ａに巻く場合に比較して、巻き工程２２でロール状に巻く際の潰れ等を容易に防止でき、仕上がりを良好にできる。しかも、巻きぐせが付き難く、使用に際し清拭タオル３をロール状から巻き戻して広げる場合にも、長手方向Ａに巻いたものに比較して容易に巻き戻すことができる。
【００４２】
更に従来のタオル地は、背中をタスキ掛けで擦る等の使用者個人の使用勝手等を考慮して、長手方向Ａの引張強度を大にしているが、介護者が被介護者の身体清拭用として使用するこの種の使い捨てタオルの場合には、シート体５の長手方向Ａの引張強度を短手方向Ｂよりも小とし、長手方向Ａの伸び率を短手方向Ｂよりも大とすることによって、使用上、何等の問題も生じない。
【００４３】
むしろ個人的な使用に比して使い捨てタオルの使用機会が非常に多い介護者にとっては、製造コストの低減による利点の他、折り重ねシート体２１をロール状に巻いて液体を含浸した清拭タオル３を包装袋４により密封しており、包装袋４を開封すれば清潔な状態で直ちに清拭タオル３を使用できること、しかも製品２４の小型化に伴い保管、運搬を容易にできること等から、従来に比して利便性が著しく向上する利点がある。
【００４４】
図１１は本発明の第２の実施形態を例示する。折り重ね工程１６〜１８でシート体５を複数回にわたって二つ折り状に折り重ねる場合、図１１（ａ）〜（ｄ）に示すように、左折り、右折りと交互に向きを変えながら折り重ねてもよい。このようにすれば、一方向にのみ折り重ねる場合に比較して、原反シート１５の蛇行を容易に防止できる。
【００４５】
図１２は本発明の第３の実施形態を例示する。折り重ね工程１６〜１８でシート体５を複数回にわたって二つ折り状に折り重ねる場合、図１２（ａ）から（ｂ）、（ｂ）から（ｃ）に示すようにシート体５の幅方向の両側を夫々内側へと順次折り重ね、その後に（ｄ）に示すように二つ折り状に折り重ねてもよい。この場合には、１回当たりの折り重ね量を少なくできる。なお、両側から内側へと折り重ねる場合、一方を折り畳んでから他方を折り畳むようにしてもよい。
【００４６】
図１３は本発明の第４の実施形態を例示する。折り重ねシート体２１を短手方向Ｂに巻いた場合の巻き径Ｃは、図１３に示すようロール体２の長さＤよりも小さくしてもよい。逆に崩れない程度であれば、ロール体２の巻き径Ｃを長さＤよりも大にしてもよい。
【００４７】
図１４は本発明の第５の実施形態を例示する。この包装型身体清拭タオル１は、シート体５の短手方向Ｂに長い帯状の折り重ねシート体２１を、その中間で二つ折り状に折り畳む等して矩形体３８の清拭タオル３とし、この清拭タオル３を包装袋４により密封したものである。このようにシート体５を矩形状に折り畳んで液体を含浸させてもよい。従って、包装型身体清拭タオル１はロール状以外のものでもよい。
【００４８】
図１５は本発明の第６の実施形態を例示する。シート体５は、長手方向Ａの引張強度が短手方向Ｂよりも小で、長手方向Ａの伸び率が短手方向Ｂよりも大であれば、図１５に示すように筋目３９，４０が斜め方向に交差して菱形模様を構成する綾織り状のセルロース繊維製の連続不織布を使用してもよい。
【００４９】
因みに筋目９，１０が縦横模様（図４参照）をなすコットン、レーヨン製の連続繊維不織布５ａを用いて、図１６に示す通りの実施例１〜６の６種類の製品を試作し、またシート体５に含浸させるべき身体清拭液は、図１７の表に示す通りの処方液を使用した。なお、身体清拭液の含浸量は、使い易さを考慮すれば、シート体５の重量の２００〜６００重量％が適当である。
【００５０】
実施例１〜６の何れの場合にも、折り重ね工程１６〜１８、巻き工程２２でのシート体５の馴染みが良く、所期の製品に仕上げることができた。
【００５１】
以上、本発明の各実施形態について詳述したが、各実施形態に限定されるものではなく、本発明の趣旨を逸脱しない範囲で種々の変更が可能である。例えば、シート体５に含浸させるべき液体については、手指、顔、首、足等に使用されるウエットティッシュの処方である殺菌消毒剤入り、抗菌剤入り、又は化粧品としての保湿剤、ローション、乳液等を含む概念処方液剤を使用してもよい。
【００５２】
シート体５に、次の混合配合液剤を含浸してもよい。即ち、精製水に柑橘種子抽出物と抗菌性保湿剤とを配合した混合配合液剤であり、その抗菌性保湿剤が１，２−ヘキサンジオール、１，２−オクタンジオール、１，２−ペンタンジオール、１，６−ヘキサンジオール、３−メチル−１，５−ペンタンジオール、２−メチル−２，４−ペンタンジオールの１種又は複数種であり、アルコール（１，２−ヘキサンジオール、１，２−オクタンジオール、１，２−ペンタンジオール、１，６−ヘキサンジオール、３−メチル−１，５−ペンタンジオール、２−メチル−２，４−ペンタンジオールを除く）と殺菌剤とパラペンとを含まないものである。
【００５３】
柑橘種子抽出物はグレープフルーツ種子から抽出したエキス成分であることが望ましい。また混合配合液剤に占める柑橘種子抽出物と抗菌性保湿剤との総量が１．００重量％以下であることが望ましい。
【００５４】
シート体５は、長手方向Ａの引張強度が短手方向Ｂよりも小であり、長手方向Ａの伸び率が短手方向Ｂよりも大であるものであれば、どのような不織布又は織布を使用してもよい。従って、不織布を使用する場合には、連続繊維不織布５ａであることが望ましいが、連続繊維不織布５ａ以外の短繊維不織布等でもよい。短繊維不織布としては、例えばコットン繊維、化学繊維（ポリエステル、レーヨン等）、パルプの何れか１つで構成したもの、何れか２つ混ぜて構成したもの、又は全てを混ぜて構成したもの等がある。更にコットン繊維、化学繊維、パルプ等の短繊維と連続繊維（長繊維）とを併用した不織布でもよい。
【００５５】
また実施例では、連続繊維の繊維ウエブ１１を使用して、その繊維を水流絡合法により絡合させるようにしているが、繊維ウェブ１１が連続繊維、短繊維の何れであるか関係なく水流絡合法を採用することが可能である。勿論、水流絡合法は繊維の絡合法の一例にに過ぎず、水流絡合法以外の各種の絡合法を採ってもよい。
【００５６】
不織布の繊維を水流絡合法により絡合させる場合、その不織布の地模様は網目スクリーン１２の網目形状に応じたものとなる。しかし、不織布の地模様は、筋目が縦横に交差する縦横の凹凸模様（図５参照）、斜めに交差する綾織り状の凹凸模様（図１５参照）に限られるものではなく、その他の模様（例えば格子模様等）でもよい。また不織布は表裏に
格別の模様を有しない無模様でもよい。シート体５は、不織布、不織布にエンボス加工を施したものでもよい。
【００５７】
シート体５に対する液体の含浸性を考慮すると、シート体５はセルロース繊維製であることが望ましいが、セルロース繊維以外のものを使用してもよい。更にシート体５は目付けが２５ｇ／ｍ2 〜１００ｇ／ｍ2 であることが望ましいが、これ以外の秤量のものでもよい。
【００５８】
タオル形状のシート体５は、短手方向Ｂの長さを長手方向Ａの長さの１／３〜１／８倍程度とすることが望ましい。また大判タオル形状のシート体５の場合には、例えば長手方向Ａの長さが６０ｃｍ〜１２０ｃｍ、短手方向Ｂの長さが２５ｃｍ〜６０ｃｍ程度が適当である。しかし、これらの比率、寸法である必要はなく、身体清拭用とは云え、特定の清拭部位を対象とするものは、その清拭部位に適した比率、寸法にすればよい。
【００５９】
シート体５を折り重ねる場合、長手方向Ａの略中央で複数回（例えば２〜５回程度）二つ折り状に折り重ねるのが一般的であるが、長手方向Ａの略中央以外の位置で折り畳んでもよいし、二つ折り以外の三つ折り状に折り畳んでもよい。
【００６０】
シート体５を包装袋４内にロール体２として密封する場合、巻き径Ｃと長さＤが略同じとなるようにシート体５をロール状に巻いてもよいし、両者の何れか一方が他方よりも小さくなるように巻いてもよい。
【００６１】
包装袋４内のシート体５に所定の清拭液体を含浸する湿式の包装タオルの他、ドライ状態で包装袋４に封入しておき、使用時にシートに水その他の清拭液体を含浸させる乾式の包装タオルにおいても同様に実施することが可能てある。清拭液体は水でもよい。
【００６２】
湿式の包装タオルを製造する場合、液体を含浸させる液体含浸工程２３は、第１の実施形態のようにロール状に巻いた後に行ってもよいし、巻く前の段階で行ってもよい。
【図面の簡単な説明】
【００６３】
【図１】本発明の第１の実施形態を示す包装型身体清拭タオルの斜視図である。
【図２】同断面図である。
【図３】同清拭タオルの斜視図である。
【図４】（ａ）はシート体の平面図、（ｂ）はその正面図である。
【図５】図４（ａ）の部分拡大図である。
【図６】同不織布製造時の説明図である。
【図７】同製造工程のブロック図である。
【図８】同製造工程の斜視図である。
【図９】同製造工程の説明図である。
【図１０】同巻き工程の説明図である。
【図１１】本発明の第２の実施形態を示す折り重ね工程の説明図である。
【図１２】本発明の第３の実施形態を示す折り重ね工程の説明図である。
【図１３】本発明の第４の実施形態を示す清拭タオルの斜視図である。
【図１４】本発明の第５の実施形態を示す清拭タオルの斜視図である。
【図１５】本発明の第６の実施形態を示す要部の背面図である。
【図１６】本発明の実施例を示す表である。
【図１７】本発明の実施例を示す表である。
【符号の説明】
【００６４】
４  包装袋
５  シート体
５ａ  連続繊維不織布
２  ロール体
９  横筋目
１５  原反シート
１６〜１８  折り重ね工程
１９  折り重ね原反シート
２０  裁断工程
２１  折り重ねシート体
２３  液体含浸工程
Ａ  長手方向
Ｂ  短手方向
Ｃ  巻き径
Ｄ  長さ
【図１】
0005721666.tif 000002
【図２】
0005721666.tif 000003
【図３】
0005721666.tif 000004
【図４】
0005721666.tif 000005
【図５】
0005721666.tif 000006
【図６】
0005721666.tif 000007
【図７】
0005721666.tif 000008
【図８】
0005721666.tif 000009
【図９】
0005721666.tif 000010
【図１０】
0005721666.tif 000011
【図１１】
0005721666.tif 000012
【図１２】
0005721666.tif 000013
【図１３】
0005721666.tif 000014
【図１４】
0005721666.tif 000015
【図１５】
0005721666.tif 000016
【図１６】
0005721666.tif 000017
【図１７】
0005721666.tif 000018